(57)【要約】      （修正有）【課題】ブラシ先端の毛先面部に平坦な部位と、勾配した部位を配置することによって、顔や皮膚の凹凸に確実にフィット可能とし、高度なテクニックを必要とせずに美しいメイクを可能とする化粧ブラシを提供する。【解決手段】取っ手軸３の先方にブラシ束１を備えた化粧ブラシであって、毛先で形成される毛先面部４に平坦面７と勾配面６を備え、平面視円形の毛先面部４に形成された直線ライン５を境として、一方円弧側に平面視二等辺三角形の平坦面７を備え、他方円弧側に勾配面６を備えている。【選択図】図１
0003218156.tif 000002
【実用新案登録請求の範囲】
【請求項１】
取っ手軸（３）の先方にブラシ束（１）を備えた化粧ブラシであって、
毛先で形成される毛先面部（４）に平坦面（７）と勾配面（６）を形成したことを特徴とする化粧ブラシ。
【請求項２】
毛先面部（４）の平面視形状を円形としたことを特徴とする請求項１記載の化粧ブラシ。
【請求項３】
平面視円形の毛先面部（４）に直線ライン（５）を形成し、その直線ライン（５）を境界とした一方円弧側に平坦面（７）を形成し、他方円弧側に勾配面（６）を形成したことを特徴とする請求項２記載の化粧ブラシ。
【請求項４】
毛先面部（４）の平面視円形の直径の３分の１に相当する位置に直線ライン（５）を通過させ、その直線ライン（５）を境界とした広い円弧側を勾配面（６）とし、狭い円弧側を平坦面（７）としたことを特徴とする請求項２〜３いずれか記載の化粧ブラシ。
【請求項５】
勾配面（６）を直線ライン（５）からその先方に向かって徐々に緩やかに形成したことを特徴とする請求項３〜４いずれか記載の化粧ブラシ。
【請求項６】
狭い円弧側の平坦面（７）の形状を、直線ライン（５）を底辺として円弧に内接する二等辺三角形の平面視形状とし、その二等辺三角形の側辺の外側に相当する円弧部分を斜めに傾斜させたことを特徴とする請求項４〜５いずれか記載の化粧ブラシ。
【考案の詳細な説明】
【技術分野】
【０００１】
本考案は、理容店や美容院等または家庭用として利用される化粧ブラシに関し、特に、ブラシ先端の毛先面部に平坦な部位と、勾配した部位を配置することによって、顔や皮膚の凹凸に確実にフィット可能とし、高度なテクニックを必要とせずに美しいメイクを可能とする化粧ブラシに関する。
【背景技術】
【０００２】
従来、ファンデーションやフェイスパウダーを使用してメイクするためのブラシとして、フェイスブラシ、パウダーブラシなどが広く用いられている。
メイクに際して、ファンデーションやフェイスパウダー等の化粧料を化粧ブラシの毛先に付着させ、その付着した化粧料を顔や皮膚へ触れさせながら塗布していた。
そして、このような化粧ブラシに関する技術として特許文献１，２の技術が公知である。
【先行技術文献】
【特許文献】
【０００３】
【特許文献１】特開２００７−２０９７７２号公報
【特許文献２】特開２０１５−８８５６号公報
【考案の概要】
【考案が解決しようとする課題】
【０００４】
特許文献１，２の化粧ブラシは、ブラシの毛先の毛先面部がその中心部において膨らむように（かまぼこ状）形成され、かつ毛先が先端に向かって広がるように形成（毛先の側面形状が先端に向かって拡開状になるように形成）されていたため、ブラシの毛先面部、すなわち毛先面の全体を一様に肌に触れさせることが難しく、また毛先への力のかかり方も均一ではなかったので、化粧料を均一に塗布することが困難であり、使用に際してフィット感が得られないなどの課題があった。
【０００５】
一方、ファンデーションに代表される化粧料を塗布する際には、化粧料を均一に薄く塗布するテクニックが必要であり、テクニックを伴わない場合は美しく仕上げることが困難という問題があった。
本考案はかかる従来の問題点を解決するためになされたものであって、その目的とするところは、ブラシ先端の毛先面部に平坦な部位と、勾配した部位を配置することによって、顔や皮膚の凹凸に確実にフィット可能とし、高度なテクニックを必要とせずに美しいメイクを可能とする化粧ブラシを提供することにある。
【課題を解決するための手段】
【０００６】
前記目的を達成するための手段として請求項１記載の化粧ブラシでは、取っ手軸の先方にブラシ束を備えた化粧ブラシであって、毛先で形成される毛先面部に平坦面と勾配面を形成したことを特徴とする。
【０００７】
請求項２記載の化粧ブラシでは、請求項１記載の化粧ブラシにおいて、毛先面部の平面視形状を円形としたことを特徴とする。
【０００８】
請求項３記載の化粧ブラシでは、請求項２記載の化粧ブラシにおいて、平面視円形の毛先面部に直線ラインを形成し、その直線ラインを境界とした一方円弧側に平坦面を形成し、他方円弧側に勾配面を形成したことを特徴とする。
【０００９】
請求項４記載の化粧ブラシでは、請求項２〜３いずれか記載の化粧ブラシにおいて、毛先面部の平面視円形の直径の３分の１に相当する位置に直線ラインを通過させ、その直線ラインを境界とした広い円弧側を勾配面とし、狭い円弧側を平坦面としたことを特徴とする。
【００１０】
請求項５記載の化粧ブラシでは、請求項３〜４いずれか記載の化粧ブラシにおいて、勾配面を直線ラインからその先方に向かって徐々に緩やかに形成したことを特徴とする。
【００１１】
請求項６記載の化粧ブラシでは、請求項４〜５いずれか記載の化粧ブラシにおいて、狭い円弧側の平坦面の形状を、直線ラインを底辺として円弧に内接する二等辺三角形の平面視形状とし、その二等辺三角形の側辺の外側に相当する円弧部分を斜めに傾斜させたことを特徴とする。
【考案の効果】
【００１２】
請求項１記載の化粧ブラシにおいては、毛先面部に平坦面と勾配面を形成したので、これら異なる形状面を利用して頬や鼻、目などの凹凸に毛先をフィットさせることができる。
勾配面は顔の湾曲、凹凸にフィットするので、ファンデーションを勾配面に乗せてムラなく容易に塗布することができる。
また、勾配面を使っていくと最後に平坦面及び境界の直線ラインにあたるので、この平坦面及び直線ラインをはけのように利用して余分な粉をはたいて除くことができる。
【００１３】
請求項２記載の化粧ブラシにおいては、毛先面部の平面視形状を円形としたので、平坦面と勾配面を備えた上で、コンパクトで取り扱いが容易な形状とされる。
【００１４】
請求項３記載の化粧ブラシにおいては、平面視円形の毛先面部に直線ラインを形成し、その直線ラインを境界とした一方円弧側に平坦面を形成し、他方円弧側に勾配面を形成したので、直線ラインを境として平坦面と勾配面が分割され、使い分けが容易である。
【００１５】
請求項４記載の化粧ブラシにおいては、毛先面部の平面視円形の直径の３分の１に相当する位置に直線ラインを通過させ、その直線ラインを境界とした広い円弧側を勾配面とし、狭い円弧側を平坦面としたので、平坦面を確保した上で、広い勾配面が形成される。そのため、広い勾配面を利用してファンデーションを容易に塗布できる。
【００１６】
請求項５記載の化粧ブラシにおいては、勾配面を直線ラインからその先方に向かって徐々に緩やかに形成したので、直線ラインから勾配面に移行する段差が深く確保され、直線ラインをはけとして利用し易くなる。
【００１７】
請求項６記載の化粧ブラシにおいては、狭い円弧側の平坦面の形状を、直線ラインを底辺として円弧に内接する二等辺三角形の平面視形状とし、その二等辺三角形の側辺の外側に相当する円弧部分を斜めに傾斜させたので、平坦面が三角形の形状として形成され、二等辺三角形の各頂点を利用して頬や鼻、目などの凹凸に毛先を確実にフィットさせることができる。
【図面の簡単な説明】
【００１８】
【図１】化粧ブラシの斜視図である。
【図２】化粧ブラシの側面図である。
【図３】ブラシ部先端の毛先面部の平面図である。
【考案を実施するための形態】
【００１９】
本考案の実施例に係る化粧ブラシは、図１〜３に示すように、単毛を束ねてブラシ束１を形成し、そのブラシ束１の基部を、筒状の束ホルダー２を介して取っ手軸３に装着固定している。
束ホルダー２は、上端にブラシ束１の結束部を有し、基端に取っ手軸３への連結部を備えた筒状体である。
取っ手軸３は円柱形状に形成されていて、取っ手軸３の先端に束ホルダー２の装着部を備えた成形品である。
束ホルダー２と取っ手軸３は、金属あるいは強化スチロール樹脂、ＡＢＳ樹脂、ＡＳ樹脂、ポリカーボネイト、アセタール樹脂等の樹脂素材によって形成されている。
取っ手軸３の長さはブラシ束の長さの３〜４倍程度に設定されており、比較的短く取り扱い容易な長さとされている。
【００２０】
ブラシ束１は単毛を束ねて筆状としたものであり、毛の材質は、樹脂、獣毛あるいはその組み合わせから構成される。
ブラシ束１の水平断面は円形とされ、ブラシ束は基部から上方に向かってやや広がった形状とされている。
ブラシ束１の上端は毛先によって毛先面部４が形成されており、その毛先面部４の平面視形状は円形とされている。
【００２１】
毛先面部４にはその円の直径の長さ３分の１の位置を通過して円縁から円縁へ直線ライン５が通過しており、その直線ライン５を境界として、広い円弧側に勾配面６が形成され、狭い円弧側に平坦面７が形成されている。
勾配面６は側面から見ると円弧を描いて湾曲しており、直線ライン５からやや急勾配に湾曲し、先方に向かって徐々に緩やかに湾曲した形状とされている。尚、勾配の形状は真円の円弧の湾曲形状とすることも可能である。
【００２２】
平坦面７の平面視形状は、直線ライン５を底辺として円弧に内接する二等辺三角形の平面視形状とされている。そして、その二等辺三角形の側辺の外側に相当する円弧部分は斜めに切り取られた状態で傾斜している。
かかる構成としたため、本考案の化粧ブラシには毛先面部４に二等辺三角形の平坦面７と、その側辺外側の傾斜部８と、湾曲面からなる勾配面６が形成されている。
【００２３】
次に、本考案の化粧ブラシの使用方法を説明する。
ファンデーションやフェイスパウダー等の化粧料を化粧ブラシの毛先に付着させ、その付着した化粧料を顔や皮膚へ触れさせながらメイクを行う。
メイクに際しては、ブラシ部が平坦面７と勾配面６を有しているので、肌の曲面、特に顔、目、鼻、ほほ、あごなどに毛先をあてがうと、微妙な局面に均一に接することができ、毛先の肌面への接触感が良好であり、かつ化粧料のつきもよくなるという効果がある。
特に、勾配面６は顔の湾曲、凹凸にフィットするので、ファンデーションを勾配面６に乗せてムラなく容易に塗布することができる。
また、勾配面６を使っていくと最後に平坦面７及び境界の直線ライン５にあたるので、この平坦面７及び直線ライン５をはけのように利用して余分な粉をはたいて除くことができる。
さらに、平坦面７が三角形の形状をなしているので、三角形の各頂点を利用して頬や鼻、目などの凹凸に毛先が確実にフィットする。
【００２４】
以上、本考案の実施例を説明したが、本考案の具体的な構成はこの実施例に限定されるものではなく、考案の要旨を逸脱しない範囲における設定変更等があっても本考案に含まれる。
例えば、毛先の長さ、素材等については特に限定されるものではなく、平坦面と勾配面を備える構成であれば、本考案に含まれる。
【符号の説明】
【００２５】
１  ブラシ束
２  束ホルダー
３  取っ手軸
４  毛先面部
５  直線ライン
６  勾配面
７  平坦面
８  傾斜部
【図１】
0003218156.tif 000003
【図２】
0003218156.tif 000004
【図３】
0003218156.tif 000005